(57)【要約】      （修正有）【課題】複合的な振動から楽音発生用の信号を得て、多彩な楽音を発生させる。【解決手段】第１の打片１００Ａにおいて、本体１０の口腔１３、内側中心穴１４、内側開口穴１６Ａ〜１６Ｄ、中間穴１５、センサホルダ３０の接続穴３１、カバー２０の外側中心穴２１により、本体１０の内側と外側とに貫通する連通路が形成される。圧電振動板４０はセンサホルダ３０の突部３２Ａ〜３２Ｄに固定支持され、第１、第２の連通路Ｒ１、Ｒ２に介在する。両打片の対向面同士を衝突させると、打片１００Ａの機械振動が、本体１０、突部を通じて圧電振動板４０に伝わるのと並行して、口腔１３内の空気振動が第２の連通路Ｒ２を通じて圧電振動板４０に到達する。圧電振動板４０のピエゾ素子４２がこれら機械及び空気の複合的な振動を検出して楽音発生用の電気信号を出力する。【選択図】図１
2012093551.tif 000002
【特許請求の範囲】
【請求項１】
第１の打片及び第２の打片の互いの対向部を衝突させて演奏する打楽器であって、
前記第１の打片の内部に形成され、前記第１の打片の前記対向部に開口する内側開口部から前記対向部の反対側に開口する外側開口部まで連通した連通路と、
前記第１の打片の内部に固定的に設けられた支持部と、
前記支持部に支持された振動板と、
前記振動板に設けられ、振動に応じた楽音発生用の電気信号を出力する振動センサとを有し、
前記振動板は、その少なくとも一部分が前記連通路の途中に介在するように配設され、前記第１の打片及び前記第２の打片の衝突による前記第１の打片の機械振動が前記支持部を介して前記振動板に伝達されると共に、前記連通路内の空気振動が前記振動板に伝達されるように構成されたことを特徴とする打楽器。
【請求項２】
前記内側開口部として、第１の内側開口部と第２の内側開口部の少なくとも２つが存在すると共に、前記連通路は、前記第１の内側開口部に繋がる第１の連通部と前記第２の内側開口部に繋がる第２の連通部とを有し、前記振動板の縁部を含まない領域が前記第１の連通部の側に介在すると共に、前記振動板の縁部を含む領域が前記第２の連通部の側に介在することを特徴とする請求項１記載の打楽器。
【請求項３】
前記支持部は、前記第１の連通部と前記第２の連通部との間に位置し、前記振動板は、前記支持部を挟んで前記第１の連通部と前記第２の連通部とに介在することを特徴とする請求項２記載の打楽器。
【請求項４】
前記支持部は複数設けられ、前記振動板は円形に構成され、その半径方向における複数の中間位置にて前記複数の支持部に支持されることを特徴とする請求項３記載の打楽器。
【請求項５】
前記支持部は突部でなり、前記振動板は、前記突部の先端に支持されることを特徴とする請求項１〜４のいずれか１項に記載の打楽器。
【請求項６】
前記第１の打片の前記対向部には凹部が形成され、前記内側開口部は前記凹部に開口していることを特徴とする請求項１〜５のいずれか１項に記載の打楽器。
【請求項７】
前記第２の打片の前記対向部には、前記第１の打片の前記凹部に対向する対向凹部が形成されていることを特徴とする請求項６記載の打楽器。
【発明の詳細な説明】
【技術分野】
【０００１】
本発明は、２つの打片を互い衝突させて演奏する打楽器に関する。
【背景技術】
【０００２】
従来、２つの打片を互い衝突させ、打ち鳴らして演奏する打楽器が知られている。そのうち、打撃による振動を検出し、楽音発生用の信号を得るものも知られている。例えば、下記特許文献１の打楽器は、２つの可動体（打片）を有するカスタネットとして構成され、打撃（衝突）時の機械的振動をピックアップ、あるいはオン、オフするスイッチで検出する。
【先行技術文献】
【特許文献】
【０００３】
【特許文献１】特開平４−１７８６９５号公報
【発明の概要】
【発明が解決しようとする課題】
【０００４】
しかしながら、上記特許文献１の打楽器では、検出される振動は、あくまで可動体に生じる機械振動のみであるので、得られる信号に基づき発音される楽音は画一的である。また、奏法に多少の変化を加えたとしても、音色の変化は乏しいものである。従って、カスタネットのような演奏操作をする打楽器において、多彩な楽音を発生させる観点で改善の余地があった。
【０００５】
本発明は上記従来技術の問題を解決するためになされたものであり、その目的は、複合的な振動から楽音発生用の信号を得て、多彩な楽音を発生させることができる打楽器を提供することにある。
【課題を解決するための手段】
【０００６】
上記目的を達成するために本発明の請求項１の打楽器は、第１の打片（１００Ａ）及び第２の打片（１００Ｂ）の互いの対向部（１１、１１１）を衝突させて演奏する打楽器であって、前記第１の打片の内部に形成され、前記第１の打片の前記対向部に開口する内側開口部（１４、１６）から前記対向部の反対側に開口する外側開口部（２１）まで連通した連通路（Ｒ１、Ｒ２）と、前記第１の打片の内部に固定的に設けられた支持部（３２）と、前記支持部に支持された振動板（４０）と、前記振動板に設けられ、振動に応じた楽音発生用の電気信号を出力する振動センサ（４２）とを有し、前記振動板（４０）は、その少なくとも一部分が前記連通路の途中に介在するように配設され、前記第１の打片及び前記第２の打片の衝突による前記第１の打片の機械振動が前記支持部を介して前記振動板に伝達されると共に、前記連通路内の空気振動が前記振動板に伝達されるように構成されたことを特徴とする。
【０００７】
好ましくは、前記内側開口部として、第１の内側開口部（１４）と第２の内側開口部（１６）の少なくとも２つが存在すると共に、前記連通路は、前記第１の内側開口部に繋がる第１の連通部（１４、３１、Ｒ１）と前記第２の内側開口部に繋がる第２の連通部（１６、Ｒ２）とを有し、前記振動板の縁部（４１ａ）を含まない領域（４１ｂ）が前記第１の連通部の側に介在すると共に、前記振動板の縁部（４１ａ）を含む領域が前記第２の連通部の側に介在する（請求項２）。好ましくは、前記支持部（３２）は、前記第１の連通部と前記第２の連通部との間に位置し、前記振動板は、前記支持部を挟んで前記第１の連通部と前記第２の連通部とに介在する（請求項３）。好ましくは、前記支持部（３２Ａ〜３２Ｄ）は複数設けられ、前記振動板は円形に構成され、その半径方向における複数の中間位置にて前記複数の支持部に支持される（請求項４）。
【０００８】
好ましくは、前記支持部は突部（３２）でなり、前記振動板は、前記突部の先端（３２ａ）に支持される（請求項５）。
【０００９】
好ましくは、前記第１の打片の前記対向部（１１）には凹部（１３）が形成され、前記内側開口部（１６）は前記凹部に開口している（請求項６）。好ましくは、前記第２の打片の前記対向部（１１１）には、前記第１の打片の前記凹部に対向する対向凹部（１１３）が形成されている（請求項７）。
【００１０】
なお、上記括弧内の符号は例示である。
【発明の効果】
【００１１】
本発明の請求項１によれば、複合的な振動から楽音発生用の信号を得て、多彩な楽音を発生させることができる。
【００１２】
請求項２によれば、各連通部で異なる空気振動を生じさせることで、楽音を一層多彩なものにすることができる。
【００１３】
請求項３、４によれば、１枚の振動板で２つ連通部の振動を検出でき、構成が簡単である。
【００１４】
請求項５によれば、空気振動の検出感度を高めることができる。
【００１５】
請求項６によれば、連通路を含む空間の体積を凹部の形状によって自由に設定することができる。
【００１６】
請求項７によれば、衝突時の凹部同士の位置関係によって空気振動を変化させることができる。
【図面の簡単な説明】
【００１７】
【図１】本発明の一実施の形態に係る打楽器のうち１つの打片の内面図（図（ａ））、図１（ａ）のＡ−Ａ線に沿う断面図（図（ｂ））である。
【図２】本打楽器を構成する一対の打片の側面図（図（ａ））、センサホルダの斜視図（図（ｂ））、変形例を示す図（図（ｃ））である。
【図３】変形例の打片の側面図（図（ａ）、（ｂ））、内面図（（ｃ）、（ｄ））である。
【発明を実施するための形態】
【００１８】
以下、本発明の実施の形態を図面を参照して説明する。
【００１９】
図１（ａ）は、本発明の一実施の形態に係る打楽器のうち１つの打片の内面図である。図１（ｂ）は、図１（ａ）のＡ−Ａ線に沿う断面図である。図２（ａ）は、本打楽器を構成する一対の打片の側面図である。
【００２０】
図２（ａ）に示すように、本打楽器は、第１の打片１００Ａと第２の打片１００Ｂとからなる。第１の打片１００Ａと第２の打片１００Ｂとをそれぞれ片手に持ち、両打片１００同士を衝突させることで演奏される。両打片１００は分離しているが、一部を紐やゴム等で連結し、カスタネットのように打ち鳴らすようにしてもよい。
【００２１】
本打楽器は、カスタネットと同様に打撃によりメカ音を発生させることができる。しかし、それだけでなく、第１の打片１００Ａにおける振動を検出して楽音発生用の電気信号を出力し、その出力を、不図示の楽音発生装置に供給して楽音を電子的に発生させることもできる。楽音発生装置と共に専ら電子楽器として扱ってもよい。
【００２２】
第１の打片１００Ａと第２の打片１００Ｂとは外郭形状が同じであるが、内部構成は異なる。両打片１００の、演奏時に互いに対向する側の面を対向面と呼称する。典型的な打撃演奏は、第１の打片１００Ａの対向面１１と第２の打片１００Ｂの対向面１１１とを平行に当接させるように衝突させる。しかし、両者を当接させればよく、一方が傾いていてもよいし、対向面１１に平行な方向の位置関係をずらしてもよい。
【００２３】
まず、楽音発生用の信号を出力する側の打片である第１の打片１００Ａについて、その構成を説明する。図１（ｂ）に示すように、第１の打片１００Ａは、本体１０及びカバー２０で筐体が構成され、該筐体の内部にセンサホルダ３０及び圧電振動板４０が配設される。本体１０及びカバー２０は木製乃至樹脂製であり、センサホルダ３０は樹脂製であるが、これらに限るものではない。
【００２４】
図１（ａ）、（ｂ）に示すように、本体１０は、対向面１１が側面視で平坦で、対向面１１の反対側の面である外側面１２は、カバー２０の部分を除いて凸曲面となっている。本体１０は、対向面１１側からみて四角形の角柱形状に構成され、対向面１１には口腔１３が形成されている。口腔１３は、対向面１１側からみてドーナツ状で、Ａ−Ａ線に沿う縦断面においては、２箇所に生じる凹曲面となっている。対向面１１に平行な口腔１３の水平断面の面積は、外側面１２の側に近いほど小さくなっている。
【００２５】
本体１０には、中央の肉部１７を残して外側面１２の方向から３段階に座繰りがなされていて、外側面１２から最も深い座繰り面が、外側面１２の側の肉部１７の端面である座面１７ａとなっている。座面１７ａにセンサホルダ３０が配設される。また、座繰りによる外側面１２から最も浅い穴がカバー配設穴１８であり、カバー配設穴１８にカバー２０が配設される。２段階目の座繰りにより中間穴１５が形成される。
【００２６】
肉部１７の中心には、内側中心穴１４が形成される。内側中心穴１４、中間穴１５及びカバー配設穴１８は、ドーナツ状の口腔１３と同心である。また、内側中心穴１４よりも半径方向外側において、中間穴１５と口腔１３とに連通する４つの内側開口穴１６（１６Ａ〜１６Ｄ）が形成されている。従って、各内側開口穴１６は、口腔１３に開口することで、間接的に対向面１１の側に開口している。
【００２７】
カバー２０は、カバー配設穴１８内において、座繰り面である座面１８ａに配設固定される。固定は接着等でなされるが、方法は問わない。内側中心穴１４の軸方向視によるカバー２０の外郭形状は、カバー配設穴１８に嵌合的な円形であるが、配設後のカバー２０の外側面１２の側の面である外側面２０ａは、外側面１２と一体に凸曲面を構成する。従って、外側面１２及び外側面２０ａで、対向面１１の反対側に第１の打片１００Ａの外側面が構成される。
【００２８】
カバー２０には、配設状態において内側中心穴１４と同心の外側中心穴２１が貫通して形成される。従って、外側中心穴２１は、中間穴１５に繋がると共に、外側面２０ａに開口している。また、カバー２０の外縁の一部は欠切され、当該欠切部分がカバー配設穴１８との間に線材挿通穴２２を形成している。
【００２９】
図２（ｂ）は、センサホルダ３０の斜視図である。センサホルダ３０は、接続穴３１を有してドーナツ状に形成された基部から４つの突部３２（３２Ａ〜３２Ｄ）が突設されて一体に形成される。突部３２は、基部の外縁に沿って、円周方向の４箇所に等間隔に設けられる（図１（ａ））。センサホルダ３０は、その外周面と突部３２の反対側の端面とが、本体１０の座繰りにより形成される内周面と座面１７ａとに対して、接着等で配設固定される。ただし、センサホルダ３０は、本体１０に固定されればよく、その配設方法は問わない。配設状態において、各突部３２は、外側面１２の方向に突出している（図１（ｂ））。また、センサホルダ３０の接続穴３１は、内側中心穴１４と同心となる。
【００３０】
このように、本体１０の口腔１３、内側中心穴１４、内側開口穴１６及び中間穴１５、センサホルダ３０の接続穴３１、並びにカバー２０の外側中心穴２１により、本体１０の内側（図１（ｂ）の左側；対向面１１の側）と外側（図１（ｂ）の右側；外側面１２乃至外側面２０ａの側）とに貫通する連通路が形成されることになる。
【００３１】
まず、圧電振動板４０を除いて考えると、図１（ｂ）に示すように、いずれも同心の内側中心穴１４、接続穴３１、中間穴１５、外側中心穴２１により、第１の連通路Ｒ１が構成される。また、口腔１３、４つの内側開口穴１６、中間穴１５、外側中心穴２１により、第２の連通路Ｒ２が構成される。中間穴１５及び外側中心穴２１は、第１の連通路Ｒ１の一部と第２の連通路Ｒ２の一部を兼ねる。第１の連通路Ｒ１と第２の連通路Ｒ２とは突部３２で分岐している。
【００３２】
ところで、圧電振動板４０は、センサホルダ３０の４つの突部３２の先端３２ａに接着等で固定支持され、内側中心穴１４の軸方向に直交するように水平に配設される。圧電振動板４０は、ピエゾ素子４２が黄銅板４１に貼られてなり、アース線及び信号線（いずれも図示せず）が半田付けされている。ピエゾ素子４２は、振動を検出して電気信号を出力し、その出力信号が信号線によって取り出される。この信号線は、線材挿通穴２２（図１（ｂ））を通って外部に導出される。
【００３３】
ピエゾ素子４２及び黄銅板４１はいずれも円形で同心であり、ピエゾ素子４２よりも黄銅板４１の方が、外径が大きい。ピエゾ素子４２の外径はセンサホルダ３０の外径とほぼ同じであり、黄銅板４１の外径は、センサホルダ３０の外径より大きく中間穴１５の内径より小さい。圧電振動板４０の外縁部でもある黄銅板４１の外縁部４１ａが、中間穴１５と内側開口穴１６との連通する部分において内側開口穴１６の側にせり出している。４つの内側開口穴１６のいずれにおいても同様の態様となっている。
【００３４】
すなわち、圧電振動板４０の半径方向における中心領域４１ｂ（図１（ｂ））が第１の連通路Ｒ１の側に介在する。中心領域４１ｂは外縁部４１ａを含まない領域でもある。一方、圧電振動板４０のうち外縁部４１ａを含む領域が第２の連通路Ｒ２の側に介在している。特に、圧電振動板４０は、センサホルダ３０の突部３２の先端３２ａを介してのみ支持されるので、それ以外の部分は浮揚状態となっており、空気圧変化を感受しやすい構造となっている。
【００３５】
一方、図２（ａ）に示すように、第２の打片１００Ｂの対向面１１１には、第１の打片１００Ａの口腔１３に対向する対向口腔１１３が形成されている。対向口腔１１３は、口腔１３と同じ形状である。しかし、第２の打片１００Ｂに設けられる凹部はこれ以外になく、内蔵、固定される別部品もない中実部材である。従って、カバー２０、センサホルダ３０、圧電振動板４０も存在しない。
【００３６】
かかる構成において、第１の打片１００Ａと第２の打片１００Ｂとを打ち鳴らして演奏する。典型的な奏法として、両打片１００の側面をほぼ面一にして、対向面１１と対向面１１１とを、平行に衝突させる。すると、まず、両者の衝突により、第１の打片１００Ａが機械的に振動する。その機械振動は、本体１０の肉部１７、センサホルダ３０の突部３２を通じて圧電振動板４０に伝わる。圧電振動板４０では、圧電効果により、振動に応じた電気信号が出力される。
【００３７】
それと並行して、第１の打片１００Ａの内部における空気的な振動も圧電振動板４０に伝わる。すなわち、両打片１００の口腔１３と対向口腔１１３とが対向して合わさると、口腔１３内の空気が瞬間的に圧縮されるように作用し、第２の連通路Ｒ２における内側開口穴１６を通じて圧電振動板４０の外縁部４１ａ付近に空気振動が到達する。また同時に、内側中心穴１４の開口においても、口腔１３ほど程度は大きくないものの、空気振動が生じてそれが第１の連通路Ｒ１における内側中心穴１４、接続穴３１を通じて圧電振動板４０の中心領域４１ｂに到達する。
【００３８】
圧電振動板４０は、半径方向中間位置にてセンサホルダ３０の突部３２の先端３２ａに浮設されており、受ける空気振動によって曲げ変形を起こし、圧電効果により電気信号を出力する。特に、第１の連通路Ｒ１から受ける空気振動と第２の連通路Ｒ２から受ける空気振動とによって複合的な曲げ変形が生じるため、両者の空気振動の状態の相対的な関係（大きさやタイミング）によって、出力される信号は多彩に変化する。特に、圧電振動板４０において、外縁部４１ａを含む部分は中心領域４１ｂとは異なり片持ち状態であり、中心領域４１ｂとは振動の態様が異なる。
【００３９】
従って、例えば、口腔１３と対向口腔１１３との位置を適当にずらして打撃すると、圧縮される空気の体積が変わり、第２の連通路Ｒ２における共鳴状態が変化して音色変化がもたらされる。空気振動による音色変化は、打撃によるメカ音色や機械振動による音色の変化とは異なる独特なものでもある。しかも、上記した機械振動と空気振動の複合的な振動から、楽音発生用の１系統の出力信号が得られるので、従来にはない音色や多彩な音色変化を実現することができる。さらに、第２の連通路Ｒ２は４箇所にあり、それぞれにおける空気振動は同じになるとは限らない。この点でも、多彩な音色変化に繋がる。
【００４０】
本打楽器は、第１の打片１００Ａと第２の打片１００Ｂとが分離しているため、打撃時の両者の位置関係や姿勢を色々変化させることができる。例えば、ひねる、擦る、エッジを当てる等により、生じる機械振動が変化するだけでなく、口腔１３や内側中心穴１４を通じて伝わる空気振動も大きく変化する。従って、奏法による音色変化の多彩さは、従来の電子カスタネットとは比べものにならないほど豊かである。
【００４１】
本実施の形態によれば、圧電振動板４０は、本体１０の内側と外側とに貫通する連通路の途中に介在するように配設され、機械振動が突部３２を通じて圧電振動板４０に伝達されると共に、連通路内の空気振動が圧電振動板４０に伝達されるので、複合的な振動から楽音発生用の信号を得て、多彩な楽音を発生させることができる。
【００４２】
しかも、圧電振動板４０のうち、中心領域４１ｂと外縁部４１ａを含む領域とは、それぞれ、第１の連通路Ｒ１の側、第２の連通路Ｒ２の側に介在するので、それぞれの連通路で異なる空気振動を生じさせることで、楽音を一層多彩なものにすることができる。
【００４３】
また、突部３２は、両連通路Ｒの間に位置し、圧電振動板４０は、突部３２を挟んで両連通路Ｒに介在するので、１枚の圧電振動板４０にて複数の連通路の振動を検出でき、構成が簡単である。
【００４４】
また、圧電振動板４０は、センサホルダ３０の突部３２の先端３２ａに浮揚保持されるので、空気振動の検出感度を高めることができる。
【００４５】
また、口腔１３は凹状に形成されるので、第２の連通路Ｒ２を含む本体１０の内部空間の体積を、口腔１３の凹形状によって自由に設定することができ、音色設定の一手段となる。また、このドーナツ状の口腔１３は、従来のカスタネットに形成される凹部を踏襲したものでもあるので、打撃によるメカ音を従来のカスタネットのような切れのある音に近づけることができる。
【００４６】
また、第２の打片１００Ｂにも、口腔１３に対向する対向口腔１１３が形成されたので、衝突時の口腔１３、対向口腔１１３の位置関係によって空気振動を変化させることができ、奏法に広がりを与える。しかも、口腔１３の開口が内側開口穴１６の内径に比し大きいので、口腔１３、対向口腔１１３の位置をずらして音色を微妙に変えるような演奏操作が行いやすい。
【００４７】
ところで、本実施の形態では、第１の連通路Ｒ１と第２の連通路Ｒ２とは、中間穴１５及び外側中心穴２１の部分が共通であったが、これに限られない。すなわち、中間穴１５及び外側中心穴２１に相当する穴を両連通路Ｒ毎に別々に設けて独立させると共に、両連通路Ｒに圧電振動板４０の一部分をそれぞれ介在させる構成であってもよい。また、内側開口穴１６乃至第２の連通路Ｒ２の数は４個に限られず、１個でもよい。さらに、位置関係においても、第１の連通路Ｒ１が本体１０の中心で第２の連通路Ｒ２が中心から離間した位置にあることは必須でない。
【００４８】
なお、圧電振動板４０は、センサホルダ３０を介して間接的に本体１０に配設されたが、本体１０の内部空間に固定的に配設されればよく、本体１０に直接固定される構成でもよい。また、製造容易化のためカバー２０を別体で設けて固定したが、別体とすることは必須でなく、カバー２０を廃止し、外側中心穴２１に相当する開口を本体１０に形成してもよい。
【００４９】
なお、第２の打片１００Ｂは第１の打片１００Ａと全く同じ構成としてもよい。その場合、第２の打片１００Ｂに配設された圧電振動板４０で検出される信号は、楽音発生に用いないようにしてもよいし、第１の打片１００Ａの圧電振動板４０で検出される信号との両方を用いて楽音を制御するようにしてもよい。あるいは、第２の打片１００Ｂのうち、本体１０の構成のみを第１の打片１００Ａと同一として、部品を共通化することも考えられる。
【００５０】
なお、本体１０は、その内側と外側とに貫通する連通路を有すればよく、口腔１３は必須でない。口腔１３を廃止し、内側開口穴１６を対向面１１に直接開口させてもよい。
【００５１】
ところで、異なる複数の連通路に圧電振動板４０を介在させる上で、圧電振動板４０のうち外縁部４１ａを含む領域が介在する第２の連通路Ｒ２は４箇所であったが、１箇所以上であればよい。また、圧電振動板４０は円形であったが、形状もそれに限定されない。
【００５２】
例えば、図２（ｃ）に変形例を示すように、圧電振動板４０を長方形等の矩形に構成ししてもよい。この変形例では、内側開口穴１６乃至第２の連通路Ｒ２の数は２つとしている。中心領域４１ｂが介在する第１の連通路Ｒ１は１つである。センサホルダ３０の突部３２は２つとし、これら２つの突部３２が両連通路Ｒの間に位置する。なお、内側中心穴１４乃至第１の連通路Ｒ１は複数であってもよい。
【００５３】
いずれの形状を採用するにしても、圧電振動板４０の曲げ変形を、側面視で振幅が最小となる「節」と振幅が最大となる「腹」を有する定常波と見なしたとき、「節」の部分が突部３２で支持されるようにするのが、感度向上の観点で好ましい。
【００５４】
なお、本実施の形態では、振動検出用の振動板として圧電振動板４０を採用したが、振動を検出してそれに応じた電気信号を出力するよう構成された振動板であればよく、振動センサとしてピエゾ素子を用いた振動板に限られない。例えば、振動センサとしてホール素子等を用いたものであってもよいし、マイクロフォンを用いたものであってもよい。
【００５５】
また、振動板に採用する振動センサの構成によっては、機械振動に対する感度が高いもの、逆に空気振動に対する感度が高いものがあり得る。上述した例のように両打片１００の口腔１３と対向口腔１１３とが対向して合わさるときの口腔１３内の空気の瞬間的な圧縮の度合いが高過ぎて、空気振動の感度が高い振動センサにとっては不適切となる場合も想定される。そのような場合は、図３に変形例を示すように、空気の圧縮傾向を緩和するような形状的な工夫を施すのが望ましい。
【００５６】
図３（ａ）、（ｂ）は、変形例の第１の打片１００Ａの側面図（一部断面図）、図３（ｃ）、（ｄ）は、変形例の第１の打片１００Ａの内面図である。これらの内容は第２の打片１００Ｂにも適用される。
【００５７】
まず、一例としては、図３（ａ）に示すように、本体１０の内面側（対向面１１の側）において、口腔１３に連接して面取り５１を全周（四角形の４辺全て）に施す。これにより、口腔１３は、側面の側において外気に連通する。そのため、口腔１３が第２の打片１００Ｂの対向口腔１１３と正対して正面から合わさった場合でも、側方に隙間ができ、密閉状態が低下するので、強い圧縮状態にならないで済む。
【００５８】
あるいは、図３（ｂ）に示すように、面取り５１に代えて、対向面１１よりも１段低い段差部５２を形成してもよい。これによっても図３（ａ）の例と同様の効果を奏する。なお、この場合において、段差部５２を全周に施すのではなく、図３（ｃ）に示すように、本体１０が呈する四角形の四隅に対向面１１を残すように段差部５２を設けてもよい。このようにすれば、両打片１００を正対させて衝突させたとき、四隅においても対向面１１と対向面１１１とが当接するので、両打片１００の姿勢が安定する。
【００５９】
あるいは、図３（ｄ）に示すように、本体１０が呈する四角形の４つの辺に、口腔１３に連接して溝部５３を形成してもよい。
【符号の説明】
【００６０】
１０  本体、  １１  対向面（対向部）、  １３  口腔（凹部）、  １４  内側中心穴（第１の内側開口部、第１の連通部）、  １６  内側開口穴（第２の内側開口部、第２の連通部）、  ２１  外側中心穴（外側開口部）、  ３１  接続穴（第１の連通部）、  ３２  突部（支持部）、  ３２ａ  先端、  ４０  圧電振動板、  ４１ａ  外縁部、  ４１ｂ  中心領域、  ４２  ピエゾ素子（振動センサ）、  １００Ａ  第１の打片、  １００Ｂ  第２の打片、  １１１  対向面（対向部）、  １１３  対向口腔（対向凹部）、  Ｒ１  第１の連通路（連通路、第１の連通部）、  Ｒ２  第２の連通路（連通路、第２の連通部）
【図１】
2012093551.tif 000003
【図２】
2012093551.tif 000004
【図３】
2012093551.tif 000005